(57)【特許請求の範囲】
【請求項１】
内容物を封緘して宛先人に送る封筒であって、
前記内容物が封入される袋部と、
前記袋部を覆うカバー部とを備え、
前記袋部は、前記一部又は全部が透明部材で形成されており、前記内容物を封入する開口部が形成されており、
前記袋部は、
前記開口部を接着する開口接着部と、
前記内容物を識別する識別子が前記内容物に対応して記入される識別子記入部とを有し、
前記カバー部は、
宛先が記入される宛先記入部を有し、
前記宛先記入部が設けられた面に対する反対面には、前記袋部及び前記識別子記入部が配置され、
前記カバー部の一部が折り返されることによって、前記宛先記入部と、前記袋部と、前記識別子記入部とが同一面に配置される封筒。
【請求項２】
前記開口接着部は、接着された後に開封されると、前記袋部側表面に開封済みである旨の文字、記号又は図形のうちいずれか一つ以上を含む印字が転写される接着部材で接着されていることを特徴とする請求項１に記載の封筒。
【請求項３】
前記開口接着部は、貼付される接着テープにより接着されることを特徴とする請求項１又は２に記載の封筒。
【請求項４】
前記宛先記入部に対応する位置に配置され、前記宛先人の宛先を記入する宛先控え記入部を更に備え、
前記宛先控え記入部に記入された前記宛先は、対応する前記宛先記入部に転写可能であることを特徴とする請求項１乃至３のいずれか１項に記載の封筒。
【請求項５】
前記袋部を複数有する請求項１乃至４のいずれか１項に記載の封筒。
【請求項６】
前記宛先人に対するコメントを記入するコメント記入部と、
前記コメント記入部に対応する位置に配置され、前記宛先人に対するコメントを記入するコメント控え記入部を更に備える請求項１乃至５のいずれか１項に記載の封筒。
【請求項７】
前記封筒の表面を形成するカバー部と、
前記封筒の裏面を形成するカバー裏部とを有し、
前記カバー部と、前記袋部と、前記カバー裏部とは、ぞれぞれ別の用紙で形成されており、上から順に重ねて配置される請求項１に記載の封筒。
【請求項８】
前記袋部は、コメント記入部が設けられた第１の面と、
前記透明部材で形成され、前記内容物を封入する封入部が設けられた第２の面とを有し、
前記第１の面と前記第２の面とは隣接しており、
前記第１の面が前記カバー部の下に配置された状態で、前記第２の面と、前記宛先記入部と、前記識別子記入部とが同一面に配置される請求項７に記載の封筒。
【請求項９】
前記袋部の前記第２の面は、前記第１の面の上に折り返された状態で、前記カバー部と前記カバー裏部との間に内包される請求項８に記載の封筒。
【発明の詳細な説明】
【０００１】
【発明の属する技術分野】
本発明は、内容物を封緘して宛先人に送る封筒に関する。
【０００２】
【従来の技術】
企業が顧客に対して行うサービスの一つに、コンサートチケット、割引クーポン等の内容物の送達が挙げられる。例えば、コンサートや演劇のチケットを扱う会社は顧客から予約されたチケットを、ホテルや旅館などは販売促進のための割引クーポンを送達する。又、抽選に対する応募の当選商品として、これらの内容物を送達する場合もある。
【０００３】
従来は、これらの内容物を確実に顧客に送達するために、封筒等に内容物を封入し、その封筒を書留郵便にしたり、小包を宅配で送達したり等の方法が取られてきた。
【０００４】
【発明が解決しようとする課題】
しかし、上述した従来の封筒を使った送達方法においては、その封筒が顧客に送達された際、その封筒の中に内容物が正しく入っているかどうかは、顧客等の宛先人がその封筒を受け取り、開封しない限りは明らかではない。
【０００５】
この結果、顧客が内容物が封入されていないと申し出た場合、その原因を突き止めることが出来なかった。従って、この様な場合には、同様の内容物を再び顧客に送達して対処しなければならなかった。
【０００６】
中には、これを悪意に利用する顧客もおり、その宛先人が既に内容物が届いているにも関わらず内容物が封入されていないと申し出た場合、差出人はその真偽を確認する手段がなく、二重に内容物を送達せざるを得ないことがあった。
【０００７】
一方、内容物を証明する方法として、内容証明郵便を挙げることが出来る。内容証明郵便とは、どのような内容の文書を何時差出したかを郵政省に証明してもらう郵便である。内容証明郵便は、その性質上、文書の送達に適しているが、コンサートチケット、割引クーポン等の内容物の送達には適用することは出来ない。
【０００８】
又、封筒の表面或いは裏面の一部が透明部材で形成された封筒もある。この封筒を利用した場合、差出人は正しい内容物を宛先人に送達したことが分かる。しかしこの場合、宛先人が開封し、その内容物を取り出した後においては、差出人は、内容物が封入されていたか否かを証明することは出来ない。
【０００９】
本発明は、差出人が正しい内容物を確実に宛先人に送達したことを証明できる封筒を提供することを目的とする。
【００１０】
【課題を解決するための手段】
上記目的を達成するため、本発明の第１の特徴は、内容物を封緘して宛先人に送る封筒に関する。即ち、本発明の第１の特徴に関する封筒は、一部又は全部が透明部材で形成され、開口部から内容物が封入される袋部と、開口部を接着し開口部を塞ぎ内容物を袋部内に封入する開口接着部と、透明部材が内包されるように袋部を覆うことにより封筒を形成するカバー部と、形成された封筒の表部に設けられた宛先記入部とを備える。
【００１１】
ここで「内容物」とは、差出人が宛先人に送達する一番の目的とするものである。具体的には、コンサートチケット、割引クーポン等のチケットであっても良いし、携帯電話ストラップ等のノベルティグッズでも良い。
【００１２】
これにより、一部が透明部材で形成された袋部に内容物を封入することにより、封入後に正しい内容物が封入されたことを知ることが出来る。即ち、内容物をカバー部によって覆うことにより、封筒の郵送の段階で第三者に内容物を知られることはない。更に差出人は、袋部を覆うカバー部を開封し、開口接着部を開封することなく、透明部材を通して内容物を確認することが出来る。従って、宛先人が開封し、その内容物を取り出したことを証明することが出来るので、悪意を持った宛先人が、既に内容物が届いているにも関わらず、内容物が封入されていないと申し出ることを未然に防ぐことが出来る。
【００１３】
ここで、開口接着部は、開封すると、袋部側表面が剥離される付着力の強い接着部材で接着されているのが好ましい。又、開口接着部は、開封すると、袋部に開封済みである旨の文字、記号又は図形のうちいずれか一つ以上を含む印字が転写される接着部材で接着されているのが好ましい。これにより、開口接着部が一度開封された場合、再び接着するのが非常に困難になる。又、開口接着部は、接着テープ等により、開口部を塞いでも構わない。
【００１４】
又、封筒を形成する前の状態において、宛先記入部は、カバー部或いは宛先記入部を切り離すことなく、透明部材と隣接するように配置可能で、宛先記入部と透明部材を一覧できるのが好ましい。これにより、袋部に内容物を封入後、宛先記入部と透明部材を一覧した状態で、スキャナやコピー機などで複写し、差出人がその複写を保存することにより、差出人は内容物を確認することが出来る。
【００１５】
更に、宛先記入部に対応する位置に配置され、宛先人の宛先を記入する宛先控え記入部を更に備えても良い。この場合、宛先控え記入部に記入された宛先は、対応する宛先記入部に転写可能であることが好ましい。このような、差出人が宛先の控えを保存することにより、差出人が正しい宛先を記載したことを確認することが出来る。
【００１６】
更に、宛先控え記入部は、封筒を形成する前の状態において、透明部材と隣接するように配置可能で、宛先控え記入部と透明部材を一覧できるのが好ましい。袋部に透明部材を封入後、宛先控え記入部と透明部材を一覧した状態で、スキャナやコピー機などで複写し、差出人がその複写を保存することにより、差出人は内容物を確認することが出来る。
【００１７】
更に、袋部は、内容物を識別する識別子を内容物に対応して記入する識別子記入部を更に備えても良い。ここで識別子とは、例えばコンサートチケットの座席番号、割引クーポンに付与された通し番号等のことで、内容物を識別することのできる文字、記号等のことである。これにより、内容物を明確に特定することが出来る。
【００１８】
更に、袋部を複数作成し、内容物を袋部に各々投入しても良い。これにより、一つの宛先に複数の内容物を同時に送達することが出来る。
【００１９】
更に、宛先人に対するコメントを記入するコメント記入部と、コメント記入部に対応する位置に配置され、宛先人に対するコメントを記入するコメント控え記入部を更に備えても良い。この場合、コメント控え記入部に記入されたコメントは、対応するコメント記入部に転写可能であることが好ましい。
【００２０】
更に、袋部は、カバー部に比して大きい場合、カバー部に内包されるように、折り畳み可能であるのが好ましい。これにより、封筒の大きさを考慮せず、内容物を送達することが出来る。
【００２１】
更に、袋部、カバー部及び宛先記入部のうち少なくとも一つ以上のそれぞれの一端に接着部を備え、接着部によって綴じられているのが好ましい。これにより、差出人が封筒に内容物を封入する作業を行うのを容易にすることが出来る。
【００２２】
本発明の第２の特徴は、封筒を使って、内容物を封緘して宛先人に送る送達方法に関する。即ち、本発明の第２の特徴に関する送達方法は、封筒が形成された際に該封筒の表部に位置する宛先記入部に宛先を記入するステップと、一部又は全部が透明部材で形成された袋部に、開口部から内容物を封入するステップと、開口部を接着し開口部を塞ぐ開口接着部を接着するステップと、封筒のカバー部によって、透明部材が内包されるように袋部を覆い、封筒を形成するステップとを備える
これにより、一部が透明部材で形成された袋部に内容物を封入することにより、封入後に正しい内容物が封入されたことを知ることが出来る。即ち、内容物をカバー部によって覆うことにより、封筒の郵送の段階で第三者に内容物を知られることはない。更に差出人は、袋部を覆うカバー部を開封し、開口接着部を開封することなく、透明部材を通して内容物を確認することが出来る。従って、宛先人が開封し、その内容物を取り出したことを証明することが出来るので、悪意を持った宛先人が、既に内容物が届いているにも関わらず、内容物が封入されていないと申し出ることを未然に防ぐことが出来る。
【００２３】
又、封筒を形成する前の状態において、カバー部或いは宛先記入部を切り離すことなく、宛先記入部を、透明部材と隣接するように配置させ、宛先記入部と透明部材を一覧した状態で複写するステップを備えても良い。
【００２４】
更に、封筒の宛先記入部に対応する位置に配置された宛先控え記入部に、記入された宛先を、対応する宛先記入部に転写するステップを備えても良い。
【００２５】
更に、宛先控え記入部は、封筒を形成する前の状態において、袋部と隣接するように配置させ、宛先控え記入部と袋部を一覧した状態で複写するステップを備えても良い。
【００２６】
更に、袋部に備えられた識別子記入部に、内容物を識別する識別子を内容物に対応して記入するステップを備えても良い。
【００２７】
更に、袋部を複数作成し、内容物を袋部に各々投入しても良い。
【００２８】
更に、封筒の対応する位置に配置され、宛先人に対するコメントを記入するコメント記入部に、コメント記入部に対応する位置に配置されたコメント控え記入部に記入されたコメントが転写されるステップを備えても良い。
【００２９】
更に、袋部がカバー部に比して大きい場合、カバー部に内包されるように、袋部を折り畳んで封入するステップを備えても良い。
【００３０】
更に、袋部、カバー部及び宛先記入部のうち少なくとも一つ以上のそれぞれの一端に接着部を備え、接着部によって綴じられていても良い。
【００３１】
【発明の実施の形態】
次に、図面を参照して、本発明の実施の形態を説明する。以下の図面の記載において、同一又は類似の部分には同一又は類似の符号を付している。
【００３２】
本発明の実施の形態においては、宛先人に送達する内容物がチケットの場合について説明する。
【００３３】
（第１の実施の形態）
本発明の第１の実施の形態に係る封筒１を図１に示す。
【００３４】
第１の実施の形態に係る封筒１は、図１（ａ）に示すように、一部又は全部が透明部材で形成され、開口部７からチケットが封入される袋部３と、開口部７を接着し開口部７を塞ぎ内容物を袋部３内に封入する開口接着部４と、透明部材が内包されるように袋部を覆うことにより封筒１を形成するカバー部２を備える。ここで透明部材とは、袋部３内に封入されたチケットを透過できる部材である。具体的には、透明或いは半透明のフィルム、プラスチック、或いは目の細かい網等のことである。又、開口接着部４を接着する接着部材は、例えば両面テープである。接着前は、両面テープに被服シールが貼られており、被服シールを剥がすことにより、開口接着部４を接着する。
【００３５】
ここで、開口部７は付着力の強い接着部材で接着されている。従って、開口部７を開封すると、袋部３側表面が剥離され、宛先人がチケットを取り出したことが分かる。或いは、袋部に開封済みである旨の文字、記号又は図形等の印字が転写される接着部材で接着されても良い。具体的には、「開封済み」と記載が残るテープ等で接着を行う。
【００３６】
図１（ｂ）は、図１（ａ）を裏面から見た図である。カバー部２の裏面には、宛先を記入する宛先記入部５が設けられている。図面では、カバー部２の裏面に宛先記入部５を設けたが、袋部３の裏面に宛先記入部５を設けても良い。
【００３７】
本実施形態に係る封筒１は、袋部３とカバー部２は、同一紙面上に形成されている。図１（ｃ）に示すように、袋部３とカバー部２の間に設けられた折り返し線Ａ−Ａ’に沿って折り畳むことにより、袋部３を内包した封筒１を形成することが出来る。
【００３８】
ここで袋部３とカバー部２は、同一紙面上に形成されていなくても良い。この場合、袋部３とカバー部２の端を貼り合わせることにより封筒１を形成する。
【００３９】
封筒１は、糊、接着テープ、両面接着テープなどを用いて貼り合わせられ、形成される。
【００４０】
第１の実施の形態において説明した封筒によれば、内容物を取り出したことを、宛先人以外の第三者が確認することが出来る。
【００４１】
即ち、一部が透明部材で形成された袋部に内容物を封入することにより、封入後に正しい内容物が封入されたことを知ることが出来る。即ち、内容物をカバー部によって覆うことにより、封筒の郵送の段階で第三者に内容物を知られることはない。更に差出人は、袋部を覆うカバー部を開封し、開口接着部を開封することなく、透明部材を通して内容物を確認することが出来る。従って、宛先人が開封し、その内容物を取り出したことを証明することが出来るので、悪意を持った宛先人が、既に内容物が届いているにも関わらず、内容物が封入されていないと申し出ることを未然に防ぐことが出来る。
【００４２】
（第２の実施の形態）
本発明の第２の実施の形態に係る封筒８を図２に示す。
【００４３】
第２の実施の形態に係る封筒８は、図２（ａ）に示すように、少なくとも一部が透明部材で形成され、開口部７から内容物が封入される袋部３、袋部３の開口部７を接着し開口部７を塞ぎチケットを袋部３内に封入する開口接着部４と、透明部材が内包されるように袋部３を覆うことにより封筒８を形成するカバー部２、袋部３とカバー部２の間に設けられた余白部６を備える。
【００４４】
図２（ｂ）は、図１（ａ）を裏面から見た図である。カバー部２の裏面には、宛先を記入する宛先記入部５が設けられている。
【００４５】
本実施形態に係る封筒８は、袋部３、カバー部２及び余白部６は、同一紙面上に形成されている。図２（ｃ）に示すように、袋部３と余白部６の間に設けられた折り返し線Ｃ−Ｃ’に沿って折り畳むことによって、宛先記入部５は、袋部３の透明部材と隣接するように配置可能で、宛先記入部５と袋部３の透明部材を一覧できる。更に、カバー部２及び余白部６の間に設けられた折り返し線Ｂ−Ｂ’に沿って折り畳むことにより、袋部３を内包した封筒８を形成することが出来る。
【００４６】
図３は、第２の実施の形態に係る封筒８を用いた送達方法を説明するフローチャートである。
【００４７】
まず、ステップＳ１０１において、宛先記入部５にチケットの宛先人の郵便番号、住所、名前、代理人名等を記入する。
【００４８】
次に、ステップＳ１０２において、袋部３にチケットを封入する。このとき、袋部３の透明部材からチケットを確認できるように封入するのが好ましい。
【００４９】
更に、ステップＳ１０３において、チケットが飛び出ないように、開口接着部４に設けられた両面テープの被服シールを剥がして接着し、開口部７を塞ぐ。
【００５０】
更に、ステップＳ１０４において、袋部３と余白部６の間に設けられた折り返し線Ｃ−Ｃ’に沿って折り畳み、宛先記入部５と袋部３を一覧した状態で、複写する。複写する場合には、スキャナを用いて読み取り、電子媒体に保存しても良いし、コピー機を用いて読み取り、紙媒体に保存しても良い。
【００５１】
最後に、ステップＳ１０５において、カバー部２及び余白部６の間に設けられた折り返し線Ｂ−Ｂ’に沿って折り畳むことにより、袋部３を内包し、ステップＳ１０６において、ステップＳ１０５において折り畳まれた封筒８の開口部７を接着することにより、封筒８を形成する。
【００５２】
第２の実施の形態に係る封筒及び送達方法によれば、宛先記入部５と袋部３を一覧した状態で複写し、保存するため、宛先人が、チケットが入っていなかったと申し出てきた場合、チケットが入ったものを送達したか否かを差出人が確認することが出来る。
【００５３】
更に、宛先人が、チケットが封入されていなかったと申し出た場合、宛先人に届いた封筒と、差出人が保存した複写とを照合することにより、チケットが入ったものを送達したか否かを差出人が確認することが出来る。
【００５４】
（第２の実施の形態の変形例）
第２の実施の形態の変形例に係る封筒９は、第１の実施の形態に係る封筒９の宛先記入部５の設ける位置を変更しており、図４に示す。
【００５５】
具体的には、図４（ａ）に示すように、第１の実施の形態に係る封筒９を示した図１（ａ）と同様である。
【００５６】
図４（ｂ）は、図４（ａ）を裏面から見た図である。同図に示す様に、宛先記入部５は、カバー部２の外側に設けられており、カバー部２の内側には余白が設けられている点が第１の実施の形態に係る封筒９と異なる。
【００５７】
本変形例に係る封筒９は、図４（ｃ）に示すように、カバー部２の宛先記入部５と余白部の間に設けられた折り返し線Ｅ−Ｅ’に沿って折り畳むことにより、宛先記入部５と袋部３を一覧することが出来る。
【００５８】
第２の実施の形態の変形例によれば、第２の実施の形態と同様に、宛先記入部５と袋部３を一覧した状態で複写し、保存するため、宛先人が、チケットが入っていなかったと申し出てきた場合、チケットが入ったものを送達したか否かを差出人が確認することが出来る。
【００５９】
（第３の実施の形態）
本発明の第３の実施の形態に係る封筒１０を、図５乃至図８を用いて説明する。
【００６０】
第３の実施の形態に係る封筒１０は、差出人の控えとなる控え部１１、封筒１０の表面となるカバー部１２、チケットを封緘する封緘部２４、封筒１０の裏面となるカバー裏部１３を備える。控え部１１、カバー部１２、封緘部２４及びカバー裏部１３は、それぞれ別の用紙で形成され、上から順に重なっている。更に、一端に接着部を備え、この接着部によって綴じられている。図では、ミシン線Ｉ−Ｉ’に沿った内側に接着部が設けられており、綴じられている。
【００６１】
それぞれの両端には、第１及び第２のリング部２５ａ及び２５ｂが設けられている。第１及び第２のリング部２５ａ及び２５ｂは、例えば封筒１０をコンピュータ等を用いて宛先を記入する場合、プリンタ等に投入し紙送りを可能にするものである。これらの第１及び第２のリング部２５ａ及び２５ｂは、ミシン線Ｉ−Ｉ’及びＪ−Ｊ’によって切り落とすことが出来る。
【００６２】
まず、図５を用いて控え部１１を説明する。控え部１１には、宛先控え記入部１７及びコメント控え記入部１８、差出人控え記入部１９が重ならないように配置されている。
【００６３】
宛先控え記入部１７は、宛先人の郵便番号、住所、氏名、代理人名等を記入する。コメント控え記入部１７は、宛先人に対してのコメントを記入する。例えば、「おめでとうございます」、「チケットが２枚当選しました」など、チケットを送付する際の挨拶文等を記入する。差出人控え記入部１９は、差出人の名前を記入する。
【００６４】
図６を用いてカバー部１２を説明する。図６は、図５において控え部１１を外した封筒１０の図である。
【００６５】
カバー部１２には、控え部１１の宛先控え記入部１７に対応する位置に宛先記入部２０が、更に差出人控え記入部１９に対応する位置に差出人記入部２１が設けられている。宛先記入部２０及び差出人記入部２１には、カーボン加工等が施されている。従って、控え部１１の宛先控え記入部１７及び差出人控え記入部１９に記入した文字が、対応する宛先記入部２０及び差出人記入部に転写される。
【００６６】
ここで、同一の差出人が大量の宛先人に送達する場合、差出人記入部２１には、予め差出人名が印刷されていても良い。
【００６７】
図７を用いて封緘部２４を説明する。図７は、図６においてカバー部１２を外した封筒１０の図である。
【００６８】
封緘部２４には、コメント記入部２２、第１の袋部１４ａ、第２の袋部１４ｂ、第３の袋部１４ｃが備えられている。コメント記入部２２には、カーボン加工等が施されている。従って、控え部１１のコメント控え記入部１８に記入した文字が、対応するコメント記入部２２に転写される。
【００６９】
第１の袋部１４ａは、少なくとも一部が透明部材で形成され、第１の開口部２７ａからチケットが封入される。第１の袋部１４ａの第１の開口部２７ａには、第１の開口部２７ａを接着し第１の開口部２７ａを塞ぎチケットを袋部１４ａ内に封入する第１の開口接着部１６ａを備えている。開口接着部４を接着する接着部材は、例えば両面テープである。接着前は、両面テープに被服シールが貼られており、被服シールを剥がすことにより、開口接着部４を接着する。又、第１の開口部２７ａに接着テープを貼付ることにより、開口接着部４を接着しても良い。
【００７０】
ここで、第１の開口部２７ａは付着力の強い接着部材で接着されていても良い。従って、第１の開口部２７ａを開封すると、袋部３側表面が剥離され、宛先人がチケットを取り出したことが分かる。或いは、袋部３に開封済みである旨の文字、記号又は図形等の印字が転写される接着部材で接着されても良い。具体的には、「開封済み」と記載が残るテープ等で接着をする。
【００７１】
更に、第１の袋部１４ａに対応して、第１の袋部１４ａに封入されたチケットの識別子である座席番号等を記入する第１の識別子記入部１５ａを備えている。第１の袋部１４ａに複数のチケットを封入する場合、第１の識別子記入部１５ａには、複数の識別子を記入しても良い。
【００７２】
第２の袋部１４ｂ及び第３の袋部１４ｃは、第１の袋部１４ａと同様の構成を備える。
【００７３】
封緘部２４は、コメント記入部２２と第１の袋部１４ａの間に折り返し線Ｆ−Ｆ’が、第１の袋部１４ａと第２の袋部１４ｂ間に折り返し線Ｇ−Ｇ’が、第２の袋部１４ｂ及び第３の袋部１４ｃの間に折り返し線Ｈ−Ｈ’が設けられている。これらの折り返し線に沿って折り畳むことにより、封緘部２４を封筒１０に封入することが出来る。
【００７４】
図８を用いてカバー裏部１３を説明する。図８は、図７において封緘部２４を外し、カバー裏部１３のみを示す図である。
【００７５】
カバー裏部１３には、第１の封筒接着部２６ａ、第２の封筒接着部２６ｂ、糊代部２３が設けられている。カバー裏部１３は、カバー部１２と同じ大きさになるように、折り返し線Ｋ−Ｋ’が設けられている。糊代部２３は、この折り返し線Ｋ−Ｋ’に沿って折り畳み、カバー部１２と貼り合わせ、封筒１０を形成する。封筒１０の上部及び下部は、それぞれ第１の封筒接着部２６ａ及び第２の封筒接着部２６ｂによって接着される。
【００７６】
第１の封筒接着部２６ａ、第２の封筒接着部２６ｂ、糊代部２３は、糊、接着テープ、両面テープ等を用いて接着可能である。両面テープを用いて接着する場合は、被服シールによって接着面をが保護されている。
【００７７】
糊代部２３の、折り返し線Ｋ−Ｋ’と対向する片には、ミシン線Ｌ−Ｌ’が設けられており、適切な大きさの糊代部２３を残して、余った部分を切り落とすことが出来る。
【００７８】
図９は、第３の実施の形態で説明した封筒１０を用いた送達方法を説明するフローチャートである。
【００７９】
まず、ステップＳ２０１において、第１の識別子記入部１５ａ乃至第３の識別子記入部１５ｃに、第１の袋部１４ａ乃至第３の袋部１４ｃに封入したチケットの識別子を記入する。
【００８０】
次に、ステップＳ２０２において、控え部１１に設けられた宛先控え記入部１７、コメント控え記入部１８及び差出人控え記入部１９に、宛先、コメント、差出人を記入すると、ステップＳ２０３において、それぞれに対応する宛先記入部２０、コメント記入部２２、差出人記入部２１に転写される。
【００８１】
更に、ステップＳ２０４において、第１の袋部１４ａ乃至第３の袋部１４ｃにチケットを封入する。このとき、第１の袋部１４ａ乃至第３の袋部１４ｃの透明部材からチケットを確認できるように封入するのが好ましい。
【００８２】
更に、ステップＳ２０５において、チケットが飛び出ないように、第１の開口接着部１６ａ乃至第３の開口接着部１６ｃに設けられた両面テープの被服シールを剥がして接着し、第１の開口部２７ａ乃至第３の開口部２７ｃを塞ぐ。
【００８３】
更に、ステップＳ２０６において、図１０に示すように、控え部１１、第１の袋部１４ａ乃至第３の袋部１４ｃを一覧した状態で、複写する。この時、第１の識別子記入部１６ａ乃至第３の識別子記入部１６ｃも一緒に複写されるのが好ましい。複写する場合には、スキャナを用いて読み取り、電子媒体に保存しても良いし、コピー機を用いて読み取り、紙媒体に保存しても良い。
【００８４】
次に、ステップＳ２０７において、ミシン線Ｊ−Ｊ’を切断し、ステップＳ２０８において、折り返し線Ｈ−Ｈ’、Ｇ−Ｇ’、Ｆ−Ｆ’に沿って封緘部２４を折り畳む。
【００８５】
最後に、ステップＳ２０９において、カバー裏部１３のミシン線Ｌ−Ｌ’を切断し、ステップＳ２１０において、封緘部２４を内包し、第１の封筒接着部２６ａ、第２の封筒接着部２６ｂ及び糊代部２３によってカバー部１２とカバー裏部１３を貼り合わせ、封筒１０を形成する。
【００８６】
詳述すると、まず、図１１に示すように、チケットを封入後、カバー部１２及びカバー裏部１３によって内包されるように、折り返し線Ｈ−Ｈ’、Ｇ−Ｇ’、Ｆ−Ｆ’に沿って封緘部２４を折り畳む。図１２は、封緘部２４を折り畳み終わった状態を示す図である。図では、カバー部１２は、折り返されている。
【００８７】
次に、図１３に示すように、ミシン目Ｉ−Ｉ’、Ｊ−Ｊ’、Ｌ−Ｌ’に沿って切り落とし、糊代部２３でカバー部１２を貼り、綴じ合わせ、封筒１０を形成する。
【００８８】
第３の実施の形態に係る封筒及び送達方法によれば、第１の開口接着部乃至第３の開口接着部が付着力の強い接着部材或いは開封したことが明示される接着部材によって接着され、内容物が封緘されている。従って、内容物を取り出すと内容物を取り出したことを、宛先人以外の第三者が確認することが出来る。
【００８９】
即ち、一部が透明部材で形成された袋部に内容物を封入することにより、封入後に正しい内容物が封入されたことを知ることが出来る。即ち、内容物をカバー部によって覆うことにより、封筒の郵送の段階で第三者に内容物を知られることはない。更に差出人は、袋部を覆うカバー部を開封し、開口接着部を開封することなく、透明部材を通して内容物を確認することが出来る。従って、宛先人が開封し、その内容物を取り出したことを証明することが出来るので、悪意を持った宛先人が、既に内容物が届いているにも関わらず、内容物が封入されていないと申し出ることを未然に防ぐことが出来る。
【００９０】
更に、控え部１１と封緘部２４を一覧した状態で複写し、保存するため、宛先人が、チケットが入っていなかったと申し出てきた場合、チケットが入ったものを送達したか否かを差出人が確認することが出来る。
【００９１】
更に、宛先人が、チケットが封入されていなかったと申し出た場合、宛先人に届いた封筒と、差出人が保存した複写とを照合することにより、チケットが入ったものを送達したか否かを差出人が確認することが出来る。
【００９２】
【発明の効果】
本発明によれば、差出人が正しい内容物を確実に宛先人に送達したことを証明することのできる封筒及び送達方法を提供することが出来る。
【図面の簡単な説明】
【図１】第１の実施の形態に係る封筒を示す図である。
【図２】第２の実施の形態に係る封筒を示す図である。
【図３】第２の実施の形態に係る封筒を用いた送達方法を説明するフローチャートである。
【図４】第２の実施の形態の変形例に係る封筒を示す図である。
【図５】第３の実施の形態に係る封筒の控え部を説明する図である。
【図６】第３の実施の形態に係る封筒のカバー部を説明する図である。
【図７】第３の実施の形態に係る封筒の封緘部を説明する図である。
【図８】第３の実施の形態に係る封筒のカバー裏部を説明する図である。
【図９】第３の実施の形態に係る封筒を用いた送達方法を説明するフローチャートである。
【図１０】第３の実施の形態に係る封筒において、控え部と封緘部を一覧した状態で複写した図である。
【図１１】第３の実施の形態において、封筒を形成する過程を説明する図である。（その１）
【図１２】第３の実施の形態において、封筒を形成する過程を説明する図である。（その２）
【図１３】第３の実施の形態において、封筒を形成する過程を説明する図である。（その３）
【符号の説明】
１、８、９、１０  封筒
２、１２  カバー部
３、１４ａ、１４ｂ、１４ｃ  袋部
４、１６ａ、１６ｂ、１６ｃ  開口接着部
５、２０  宛先記入部
６  余白部
７、２７ａ、２７ｂ、２７ｃ  開口部
１１  控え部
１３  カバー裏部
１５ａ、１５ｂ、１５ｃ  識別子記入部
１７  宛先控え記入部
１８  コメント控え記入部
１９  差出人控え記入部
２１  差出人記入部
２２  コメント記入部
２３  糊代部
２４  封緘部
２５ａ、２５ｂ  リング部
２６ａ、２６ｂ  封筒接着部
【図１】
0004188612.tif 000002
【図２】
0004188612.tif 000003
【図３】
0004188612.tif 000004
【図４】
0004188612.tif 000005
【図５】
0004188612.tif 000006
【図６】
0004188612.tif 000007
【図７】
0004188612.tif 000008
【図８】
0004188612.tif 000009
【図９】
0004188612.tif 000010
【図１０】
0004188612.tif 000011
【図１１】
0004188612.tif 000012
【図１２】
0004188612.tif 000013
【図１３】
0004188612.tif 000014